(57)【要約】【課題】ロッキング動抑制のための装置を用いなくても、十分な性能を発揮できる三次元免震構成を提供する。【解決手段】三次元免震架構は、内部空間を規定する外殻構造体と、外殻構造体の下に配置され、鉛直方向において外殻構造体を支持しつつ、外殻構造体の水平方向の免震を行う水平方向免震装置を備える。また、三次元免震架構は、内部空間に配置された少なくとも１つの床構造体と、外殻構造体に支持されると共に、鉛直方向において床構造体を支持しつつ、床構造体の鉛直方向の免震を行う鉛直方向免震装置とを備える。【選択図】図３
2016180270.tif 000002
【特許請求の範囲】
【請求項１】
内部空間を規定する外殻構造体と、
前記外殻構造体の下に配置され、鉛直方向において前記外殻構造体を支持しつつ、前記外殻構造体の水平方向の免震を行う水平方向免震装置と、
前記内部空間に配置された少なくとも１つの床構造体と、
前記外殻構造体に支持されると共に、鉛直方向において前記床構造体を支持しつつ、前記床構造体の鉛直方向の免震を行う鉛直方向免震装置と、を備える、三次元免震架構。
【請求項２】
請求項１に記載の三次元免震架構であって、さらに、
前記外殻構造体に対する前記床構造体の鉛直方向の相対移動を許容しつつ、前記外殻構造体に対する前記床構造体の水平方向の相対移動を規制することによって、前記床構造体に作用する水平力を前記外殻構造体に伝達するシアキー部を備える、三次元免震架構。
【請求項３】
請求項１または請求項２に記載の三次元免震架構であって、
前記外殻構造体は、
壁状構造体と、
前記少なくとも１つの床構造体の下方に配置され、前記壁状構造体と剛接された第１の剛接床構造体と、
前記少なくとも１つの床構造体の上方に配置され、前記壁状構造体と剛接された第２の剛接床構造体と、を備える、三次元免震架構。
【請求項４】
請求項３に記載の三次元免震架構であって、
前記外殻構造体は、さらに、
前記壁状構造体と剛接され、前記鉛直方向免震装置を支持する下部ペデスタル部を備える、三次元免震架構。
【請求項５】
請求項４に記載の三次元免震架構であって、
前記床構造体は、
床版と、
前記床版を支持する梁と、
鉛直方向において前記梁と重なる位置に配置された上部ペデスタル部と、を備え、
前記鉛直方向免震装置は、前記上部ペデスタル部と前記下部ペデスタル部との間に介挿される、三次元免震架構。
【請求項６】
請求項３から請求項５までのいずれか一項に記載の三次元免震架構であって、
複数の前記床構造体を備え、
前記外殻構造体は、さらに、
前記複数の床構造体の一部の上方、かつ、前記複数の床構造体の他の一部の下方に配置され、前記壁状構造体と剛接された第３の剛接床構造体を備える、三次元免震架構。
【請求項７】
請求項１から請求項６までのいずれか一項に記載の三次元免震架構であって、
前記水平方向免震装置は、積層ゴム支承と、滑り支承と、転がり支承と、の少なくとも１つにより構成され、
前記鉛直方向免震装置は、空気ばねと、コイルばねと、の少なくとも１つにより構成される、三次元免震架構。
【発明の詳細な説明】
【技術分野】
【０００１】
本明細書によって開示される技術は、三次元免震架構に関する。
【背景技術】
【０００２】
従来、建築物等の構造物（以下、「免震対象構造物」という）の水平方向および鉛直方向の両方向の免震（以下、「三次元免震」という）を実現する構成として、免震対象構造物の下に水平方向および鉛直方向の両方向の免震機能を有する免震装置（例えば厚肉積層ゴム支承）を配置する構成が知られている（例えば特許文献１参照）。この構成では、水平方向の免震特性と鉛直方向の免震特性とが連成するため、明快な力学モデルの構築に困難が伴い、十分な性能の三次元免震を実現できないおそれがある。
【０００３】
免震対象構造物の下に水平方向免震装置（例えば、積層ゴム支承や滑り支承、転がり支承）と鉛直方向免震装置（例えば、空気ばねやコイルばね）とを直列または並列に配置することにより、三次元免震の力学モデルを明確化した構成が知られている（例えば特許文献１参照）。しかし、この構成では、転倒モーメントによるロッキング動により水平方向の応答が増幅するおそれがあり、また、免震対象構造物の縁部においてロッキング動に伴う鉛直変位によって鉛直方向免震装置に損傷が生じるおそれがある。
【０００４】
免震対象構造物の隅角位置に上下２つのオイルタンク室を有する第１のオイルダンパーを設け、当該隅角位置の対角位置に同様の第２のオイルダンパーを設け、第１のオイルダンパーの上側オイルタンク室および下側オイルタンク室を、それぞれ、第２のオイルダンパーの下側オイルタンク室および上側オイルタンク室と配管で接続することにより、ロッキング動を抑制する構成が知られている（例えば特許文献２参照）。この構成によれば、三次元免震構成においてロッキング動を抑制することができ、水平方向の応答の増幅を抑制することができると共に、免震対象構造物の縁部における鉛直方向免震装置の損傷を抑制することができる。
【先行技術文献】
【特許文献】
【０００５】
【特許文献１】特開２０１２−１３２３５号公報
【特許文献２】特開２００８−２９１９１８号公報
【発明の概要】
【発明が解決しようとする課題】
【０００６】
しかし、上述したオイルダンパーと配管とを用いてロッキング動を抑制する構成では、免震対象構造物が大規模になると、ロッキング動抑制のための装置が大がかりとなる上に、応力伝達速度が不十分となったりオイルダンパーの容量が不足したりして性能が十分に発揮されないおそれがある、という課題がある。このように、ロッキング動抑制のための装置を用いなくても、十分な性能を発揮できる三次元免震構成の提供が望まれている。
【０００７】
本明細書では、上述した課題の少なくとも一部を解決することが可能な技術を開示する。
【課題を解決するための手段】
【０００８】
本明細書に開示される技術は、例えば、以下の形態として実現することが可能である。
【０００９】
（１）本明細書に開示される三次元免震架構は、内部空間を規定する外殻構造体と、前記外殻構造体の下に配置され、鉛直方向において前記外殻構造体を支持しつつ、前記外殻構造体の水平方向の免震を行う水平方向免震装置と、前記内部空間に配置された少なくとも１つの床構造体と、前記外殻構造体に支持されると共に、鉛直方向において前記床構造体を支持しつつ、前記床構造体の鉛直方向の免震を行う鉛直方向免震装置と、を備える。本三次元免震架構によれば、水平方向免震装置により外殻構造体の水平方向の免震が実現され、鉛直方向免震装置により各床構造体の鉛直方向の免震が実現され、両者によって三次元免震が実現される。また、鉛直方向免震装置の重心高さと鉛直方向免震装置が支持する床構造体の重心高さとの差を比較的小さくすることができ、転倒モーメントを比較的小さくしてロッキング動を抑制することができる。従って、本三次元免震架構によれば、ロッキング動抑制のための装置を用いなくても、十分な性能を発揮できる三次元免震を実現することができる。
【００１０】
（２）上記三次元免震架構において、さらに、前記外殻構造体に対する前記床構造体の鉛直方向の相対移動を許容しつつ、前記外殻構造体に対する前記床構造体の水平方向の相対移動を規制することによって、前記床構造体に作用する水平力を前記外殻構造体に伝達するシアキー部を備える構成としてもよい。本三次元免震架構によれば、鉛直方向免震装置に作用する剪断力を低減することができ、鉛直方向免震装置の損傷を抑制することができる。
【００１１】
（３）上記三次元免震架構において、前記外殻構造体は、壁状構造体と、前記少なくとも１つの床構造体の下方に配置され、前記壁状構造体と剛接された第１の剛接床構造体と、前記少なくとも１つの床構造体の上方に配置され、前記壁状構造体と剛接された第２の剛接床構造体と、を備える構成としてもよい。本三次元免震架構によれば、水平方向に免震された外殻構造体を剛体とすることができる。
【００１２】
（４）上記三次元免震架構において、前記外殻構造体は、さらに、前記壁状構造体と剛接され、前記鉛直方向免震装置を支持する下部ペデスタル部を備える構成としてもよい。本三次元免震架構によれば、鉛直方向免震装置が支持する床構造体の鉛直荷重を、下部ペデスタル部を介して外殻構造体に伝達することができる。
【００１３】
（５）上記三次元免震架構において、前記床構造体は、床版と、前記床版を支持する梁と、鉛直方向において前記梁と重なる位置に配置された上部ペデスタル部と、を備え、前記鉛直方向免震装置は、前記上部ペデスタル部と前記下部ペデスタル部との間に介挿される構成としてもよい。本三次元免震架構によれば、鉛直方向免震装置が床構造体を確実に支持して床構造体の鉛直荷重を外殻構造体に伝達することができる。
【００１４】
（６）上記三次元免震架構において、複数の前記床構造体を備え、前記外殻構造体は、さらに、前記複数の床構造体の一部の上方、かつ、前記複数の床構造体の他の一部の下方に配置され、前記壁状構造体と剛接された第３の剛接床構造体を備える構成としてもよい。本三次元免震架構によれば、外殻構造体内において、鉛直免震が必要な階だけに鉛直方向の免震機能を持たせることができる。
【００１５】
（７）上記三次元免震架構において、前記水平方向免震装置は、積層ゴム支承と、滑り支承と、転がり支承と、の少なくとも１つにより構成され、前記鉛直方向免震装置は、空気ばねと、コイルばねと、の少なくとも１つにより構成される構成としてもよい。
【００１６】
なお、本明細書に開示される技術は、種々の形態で実現することが可能であり、例えば、三次元免震架構、三次元免震を行う方法等の形態で実現することが可能である。
【図面の簡単な説明】
【００１７】
【図１】実施形態における三次元免震架構１０の構成を概略的に示す説明図である。
【図２】実施形態における三次元免震架構１０の構成を概略的に示す説明図である。
【図３】実施形態における三次元免震架構１０の構成を概略的に示す説明図である。
【図４】三次元免震架構１０における外殻構造体１００による床構造体１３０の支持構成の詳細を示す説明図である。
【図５】三次元免震架構１０における外殻構造体１００による床構造体１３０の支持構成の詳細を示す説明図である。
【発明を実施するための形態】
【００１８】
Ａ．実施形態：
Ａ−１．構成：
（三次元免震架構１０の構成）
図１から図３は、実施形態における三次元免震架構１０の構成を概略的に示す説明図である。図１には、基礎ＢＡのレベルにおける三次元免震架構１０の平面構成が示されており、図２には、２階のレベルにおける三次元免震架構１０の平面構成が示されており、図３には、三次元免震架構１０の外観構成が示されている。なお、図３では、三次元免震架構１０の構成をわかりやすく示すために、一部の部材の図示を省略している。
【００１９】
三次元免震架構１０は、外殻構造体１００を備える。外殻構造体１００は、鉄筋コンクリート造の箱形構造物であり、外殻構造体１００の最下層を構成する最下層床構造体１６０と、外殻構造体１００の最上層を構成する最上層床構造体１７０と、複数の壁柱１２０とを備える。最下層床構造体１６０と最上層床構造体１７０と複数の壁柱１２０とにより、外殻構造体１００の内部空間ＩＳが規定される。本実施形態では、外殻構造体１００におけるＸ方向に平行な２つの側面には、それぞれ４つの壁柱１２０が配置されており、外殻構造体１００におけるＹ方向に平行な２つの側面には、それぞれ２つの壁柱１２０が配置されている。外殻構造体１００のコーナー部では、Ｘ方向に平行な壁柱１２０とＹ方向に平行な壁柱１２０とが一体的に形成されている。なお、壁柱１２０と最下層床構造体１６０と最上層床構造体１７０とは、それぞれ、特許請求の範囲における壁状構造体と、第１の剛接床構造体と、第２の剛接床構造体とに相当する。
【００２０】
最下層床構造体１６０は、平面視略矩形の床版１６４と、床版１６４を支持する梁１６２とを備えている。同様に、最上層床構造体１７０は、平面視略矩形の床版１７４と、床版１７４を支持する梁１７２とを備えている。最下層床構造体１６０の床版１６４は、１階の床として機能し、最上層床構造体１７０の床版１７４は、屋根として機能する。最下層床構造体１６０の各梁１６２および最上層床構造体１７０の各梁１７２は、それぞれ、各壁柱１２０の下端部および上端部と剛接されている。
【００２１】
外殻構造体１００と基礎ＢＡとの間には、水平方向免震装置として、４つの積層ゴム支承１１２と４つの弾性滑り支承１１４とが介挿されている。本実施形態では、図１に示すように、外殻構造体１００の平面の４つのコーナー部のそれぞれの下方に積層ゴム支承１１２が配置され、外殻構造体１００におけるＸ方向に平行な２つの側面のそれぞれの下方に２つの弾性滑り支承１１４が配置されている。各積層ゴム支承１１２および各弾性滑り支承１１４は、鉛直方向において外殻構造体１００を支持しつつ、外殻構造体１００の水平方向の免震を行う。
【００２２】
外殻構造体１００の内部空間ＩＳには、２つの床構造体１３０が配置されている。各床構造体１３０は、鉄筋コンクリート造である。各床構造体１３０は、平面視略矩形の床版１３４と、床版１３４を支持する梁１３２とを備えている。２つの床構造体１３０の内、下側の床構造体１３０の床版１３４は、２階の床として機能し、上側の床構造体１３０の床版１３４は、３階の床として機能する。このように、本実施形態の三次元免震架構１０は、地上３階建ての鉄筋コンクリート造建築物である。
【００２３】
ここで、各床構造体１３０は、外殻構造体１００に支持されているものの、構造的には外殻構造体１００と絶縁されている。以下、外殻構造体１００による床構造体１３０の支持構成について詳細に説明する。
【００２４】
Ａ−２．外殻構造体１００による床構造体１３０の支持構成：
図４および図５は、三次元免震架構１０における外殻構造体１００による床構造体１３０の支持構成の詳細を示す説明図である。図４には、図２のＰｘの位置における三次元免震架構１０の平面構成が示されており、図５には、図２のＰｘの位置における三次元免震架構１０の断面構成が示されている。
【００２５】
図５に示すように、外殻構造体１００の各壁柱１２０には、内部空間ＩＳ側に突出し、後述する空気ばね１４０を支持する略水平の上面を有する下部ペデスタル部１２６が設けられている。本実施形態では、下部ペデスタル部１２６は、鉄筋コンクリート造で壁柱１２０と一体成型されている。また、図４および図５に示すように、各床構造体１３０の梁１３２における壁柱１２０と対向する位置には、略水平の下面を有する上部ペデスタル部１３６が設けられている。
【００２６】
外殻構造体１００の壁柱１２０に設けられた下部ペデスタル部１２６と、床構造体１３０に設けられた上部ペデスタル部１３６との間には、鉛直方向免震装置として、空気ばね１４０が介挿されている。図２に示すように、本実施形態では、１つの床構造体１３０について、８つの空気ばね１４０が配置されている。８つの空気ばね１４０の位置は、積層ゴム支承１１２または弾性滑り支承１１４の鉛直方向上方の位置である。空気ばね１４０は、下部ペデスタル部１２６を介して壁柱１２０（すなわち外殻構造体１００）に支持される。また、空気ばね１４０は、鉛直方向において床構造体１３０を支持しつつ、床構造体１３０の鉛直方向の免震を行う。
【００２７】
また、各床構造体１３０の側面と、当該側面に対向する各壁柱１２０との間には、シアキー部１５０が介挿されている。シアキー部１５０は、床構造体１３０の側面に形成された複数の鉛直方向に延びる棒状部材と、壁柱１２０に形成され、床構造体１３０に形成された複数の棒状部材と噛み合う複数の棒状部材と、から構成されている。シアキー部１５０は、壁柱１２０（すなわち、外殻構造体１００）に対する床構造体１３０の鉛直方向の相対移動を許容しつつ、壁柱１２０に対する床構造体１３０の水平方向の相対移動を規制することにより、床構造体１３０に作用する水平力が壁柱１２０に伝達される。
【００２８】
Ａ−３．三次元免震架構１０の免震機能：
水平方向の地震動が三次元免震架構１０に作用すると、三次元免震架構１０の下に配置された積層ゴム支承１１２および弾性滑り支承１１４が有する水平方向の免震機能により、外殻構造体１００の水平方向の振動が抑制される。また、各床構造体１３０に作用する水平方向の慣性力は、シアキー部１５０を介して壁柱１２０に伝達され、壁柱１２０によって負担される。
【００２９】
また、鉛直方向の地震動が三次元免震架構１０に作用すると、当該地震動は、免震されることなく外殻構造体１００に入力される。しかし、各床構造体１３０は、外殻構造体１００と構造的に絶縁されており、外殻構造体１００と各床構造体１３０との間に空気ばね１４０が設けられているため、空気ばね１４０が有する鉛直方向の免震機能により、各床構造体１３０の鉛直方向の振動が抑制される。
【００３０】
また、本実施形態の三次元免震架構１０では、地震時のロッキング動も抑制される。すなわち、免震対象構造物の下に免震装置を配置することによって鉛直方向の免震を実現する比較例では、免震装置の重心高さと、免震装置が支持する構造物（すなわち免震対象構造物全体）の重心高さとの差が比較的大きい。そのため、転倒モーメントが比較的大きくなり、ロッキング動が比較的大きくなる。これに対し、本実施形態の三次元免震架構１０では、鉛直方向免震装置として機能する各空気ばね１４０の重心高さと、各空気ばね１４０が支持する構造物（すなわち床構造体１３０）の重心高さとの差（図５のＤｈ）が比較的小さいため、転倒モーメントが比較的小さくなり、ロッキング動も抑制される。なお、各空気ばね１４０の重心高さと床構造体１３０の重心高さとを同じ高さとすれば、理論上、転倒モーメントはゼロになる。
【００３１】
以上説明したように、本実施形態の三次元免震架構１０は、内部空間ＩＳを規定する外殻構造体１００と、外殻構造体１００の下に配置され、鉛直方向において外殻構造体１００を支持しつつ外殻構造体１００の水平方向の免震を行う水平方向免震装置としての積層ゴム支承１１２および弾性滑り支承１１４と、外殻構造体１００の内部空間ＩＳに配置された少なくとも１つの床構造体１３０と、外殻構造体１００に支持されると共に、鉛直方向において床構造体１３０を支持しつつ床構造体１３０の鉛直方向の免震を行う鉛直方向免震装置としての空気ばね１４０とを備える。そのため、本実施形態の三次元免震架構１０では、積層ゴム支承１１２および弾性滑り支承１１４により外殻構造体１００の水平方向の免震が実現され、空気ばね１４０により各床構造体１３０の鉛直方向の免震が実現され、三次元免震が実現される。また、本実施形態の三次元免震架構１０では、空気ばね１４０の重心高さと空気ばね１４０が支持する床構造体１３０の重心高さとの差を比較的小さくすることができ、転倒モーメントを比較的小さくしてロッキング動を抑制することができる。従って、本実施形態の三次元免震架構１０によれば、ロッキング動抑制のための装置を用いなくても、十分な性能を発揮できる三次元免震を実現することができる。
【００３２】
なお、特定の設備機器等を鉛直方向に免震する目的で当該機器の基礎を構造的に絶縁する場合と比較して、本実施形態において１００と構造的に絶縁されている各１３０の重量は大きいため、人の歩行や機器の振動などの軽微な荷重に対する振動は比較的小さく抑えられる。
【００３３】
また、本実施形態の三次元免震架構１０は、外殻構造体１００に対する床構造体１３０の鉛直方向の相対移動を許容しつつ、外殻構造体１００に対する床構造体１３０の水平方向の相対移動を規制することによって、床構造体１３０に作用する水平力を外殻構造体１００に伝達するシアキー部１５０を備えるため、鉛直方向免震装置としての空気ばね１４０に作用する剪断力を低減することができ、空気ばね１４０の損傷を抑制することができる。
【００３４】
また、本実施形態の三次元免震架構１０では、外殻構造体１００が、壁柱１２０と、２つの床構造体１３０の下方に配置され、壁柱１２０と剛接された最下層床構造体１６０と、２つの床構造体１３０の上方に配置され、壁柱１２０と剛接された最上層床構造体１７０とを備えるため、水平方向に免震された外殻構造体１００を剛体とすることができる。
【００３５】
また、本実施形態の三次元免震架構１０では、外殻構造体１００が、壁柱１２０と剛接されると共に鉛直方向免震装置としての空気ばね１４０を支持する下部ペデスタル部１２６を備えるため、空気ばね１４０が支持する床構造体１３０の鉛直荷重を、下部ペデスタル部１２６を介して壁柱１２０に伝達することができる。
【００３６】
また、本実施形態の三次元免震架構１０では、床構造体１３０は、床版１３４と、床版１３４を支持する梁１３２と、鉛直方向において梁１３２と重なる位置に配置された上部ペデスタル部１３６とを備え、鉛直方向免震装置としての空気ばね１４０は上部ペデスタル部１３６と下部ペデスタル部１２６との間に介挿されるため、空気ばね１４０が床構造体１３０を確実に支持して床構造体１３０の鉛直荷重を壁柱１２０に伝達することができる。
【００３７】
Ｂ．変形例：
本明細書で開示される技術は、上述の実施形態に限られるものではなく、その要旨を逸脱しない範囲において種々の形態に変形することができ、例えば次のような変形も可能である。
【００３８】
上記実施形態では、外殻構造体１００や床構造体１３０は鉄筋コンクリート造であるとしているが、外殻構造体１００や床構造体１３０は他の構造（例えば鉄骨造や鉄骨鉄筋コンクリート造、木造）であってもよい。また、上記実施形態では、外殻構造体１００は、壁柱１２０と最下層床構造体１６０と最上層床構造体１７０とを備える構成としているが、他の構成とすることもできる。例えば、外殻構造体１００は、壁状構造体としてのフレームやブレースにより構成されたチューブ構造であるとしてもよい。
【００３９】
上記実施形態では、外殻構造体１００の下に、水平方向免震装置として、４つの積層ゴム支承１１２と４つの弾性滑り支承１１４とが配置されているが、配置される水平方向免震装置の種類や数は任意に変更可能である。水平方向免震装置としては、積層ゴム支承および弾性滑り支承の他に、例えば、滑り支承や転がり支承を用いることができる。
【００４０】
上記実施形態では、外殻構造体１００と基礎ＢＡとの間に水平方向免震装置が介挿されているが、外殻構造体１００とその下方に配置された基礎ＢＡ以外の構造体（例えば建築物）との間に水平方向免震装置が介挿されるとしてもよい。すなわち、水平方向免震装置がいわゆる中間免震装置として用いられてもよい。
【００４１】
上記実施形態では、外殻構造体１００の内部空間ＩＳに２つの床構造体１３０が配置されているが、外殻構造体１００の内部空間ＩＳに１つの床構造体１３０が配置されていてもよいし、外殻構造体１００の内部空間ＩＳに３つ以上の床構造体１３０が配置されていてもよい。すなわち、三次元免震架構１０を、任意の階数の建築物とすることができる。
【００４２】
また、外殻構造体１００の内部空間ＩＳに複数の床構造体１３０が配置されている形態において、複数の床構造体１３０の一部の上方、かつ、複数の床構造体１３０の他の一部の下方に、壁柱１２０と剛接された中間床構造体が配置されていてもよい。すなわち、すべての階が鉛直方向に免震される必要はなく、鉛直方向の免震機能が要求される階だけを上述した構成の床構造体１３０として、鉛直方向の免震機能を持たせればよい。この構成における中間床構造体は、特許請求の範囲における第３の剛接床構造体に相当する。
【００４３】
また、ある階のすべての領域が鉛直方向に免震される必要はなく、ある階の一部の領域のみを上述した構成の床構造体１３０とし、残りの領域については外殻構造体１００に剛接された床構造としてもよい。
【００４４】
上記実施形態では、鉛直方向免震装置として、１つの床構造体１３０について８つの空気ばね１４０が配置されているが、配置される鉛直方向免震装置の種類や数は任意に変更可能である。鉛直方向免震装置としては、空気ばねの他に、例えば、コイルばねを用いることができる。
【００４５】
上記実施形態において、各方向の免震装置と共に、振動を減衰させる減衰装置を用いてもよい。
【符号の説明】
【００４６】
１０：三次元免震架構  １００：外殻構造体  １１２：積層ゴム支承  １１４：弾性滑り支承  １２０：壁柱  １２６：下部ペデスタル部  １３０：床構造体  １３２：梁  １３４：床版  １３６：上部ペデスタル部  １４０：空気ばね  １５０：シアキー部  １６０：最下層床構造体  １６２：梁  １６４：床版  １７０：最上層床構造体  １７２：梁  １７４：床版
【図１】
2016180270.tif 000003
【図２】
2016180270.tif 000004
【図３】
2016180270.tif 000005
【図４】
2016180270.tif 000006
【図５】
2016180270.tif 000007